【手続補正書】
【提出日】令和3年9月20日(2021.9.20)
【手続補正１】
【補正対象書類名】特許請求の範囲
【補正対象項目名】全文
【補正方法】変更
【補正の内容】
【特許請求の範囲】
【請求項１】
冷媒を吸入して圧縮し吐出する圧縮機（１１）と、
前記圧縮機から吐出された前記冷媒と熱媒体とを熱交換させることにより前記冷媒を放熱させて前記熱媒体を加熱する放熱部（１２）と、
前記放熱部で放熱された前記冷媒を減圧させる減圧部（１６）と、
前記減圧部で減圧された前記冷媒を蒸発させることによって吸熱させる吸熱部（１７、３２、４５、１８）と、
前記放熱部で加熱された前記熱媒体の熱を利用する熱利用部（２２）と、
前記熱媒体の流れにおいて前記熱利用部に対して並列に配置され、前記放熱部で加熱された前記熱媒体の熱を前記吸熱部に供給する熱供給部（２０ｃ、２３、３７）と、
前記放熱部から流出した前記熱媒体を前記熱利用部側と前記熱供給部側とに分岐させる分岐部（２０ｄ）と、
前記熱利用部を流れた前記熱媒体と前記熱供給部を流れた前記熱媒体とを合流させて前記放熱部側へ流出させる合流部（２０ｅ）と、
前記放熱部と前記熱利用部との間で前記熱媒体が循環する第１状態と、前記放熱部と前記熱利用部および前記熱供給部との間で前記熱媒体が循環する第２状態とを切り替える切替部（２６）と、
前記熱媒体を吸入して吐出するポンプ（２１）とを備え、
前記制御部は、前記第１状態から前記第２状態に切り替えたとき、前記放熱部に流入する前記熱媒体の温度の時間変化率が小さくなるように前記ポンプを制御する冷凍サイクル装置。
【請求項２】
冷媒を吸入して圧縮し吐出する圧縮機（１１）と、
前記圧縮機から吐出された前記冷媒と熱媒体とを熱交換させることにより前記冷媒を放熱させて前記熱媒体を加熱する放熱部（１２）と、
前記放熱部で放熱された前記冷媒を減圧させる減圧部（１６）と、
前記減圧部で減圧された前記冷媒を蒸発させることによって吸熱させる吸熱部（１７、３２、４５、１８）と、
前記放熱部で加熱された前記熱媒体の熱を利用する熱利用部（２２）と、
前記熱媒体の流れにおいて前記熱利用部に対して並列に配置され、前記放熱部で加熱された前記熱媒体の熱を前記吸熱部に供給する熱供給部（２０ｃ、２３、３７）と、
前記放熱部から流出した前記熱媒体を前記熱利用部側と前記熱供給部側とに分岐させる分岐部（２０ｄ）と、
前記熱利用部を流れた前記熱媒体と前記熱供給部を流れた前記熱媒体とを合流させて前記放熱部側へ流出させる合流部（２０ｅ）と、
前記放熱部と前記熱利用部との間で前記熱媒体が循環する第１状態と、前記放熱部と前記熱利用部および前記熱供給部との間で前記熱媒体が循環する第２状態とを切り替える切替部（２６）と、
前記減圧部で減圧された前記冷媒を蒸発させることによって空気を冷却除湿する蒸発器（１４）とを備え、
前記熱利用部は、前記放熱部で加熱された前記熱媒体を利用して、前記蒸発器で冷却除湿された空気および前記蒸発器をバイパスして流れた空気のうち少なくとも一方を加熱するヒータコア（２２）を有しており、
前記切替部は、前記蒸発器で空気を冷却除湿し且つ前記蒸発器で冷却除湿された空気を前記ヒータコアで加熱する除湿暖房モード、または前記蒸発器をバイパスして流れた空気を前記ヒータコアで加熱する暖房モードから、前記熱媒体の熱を利用して前記吸熱部を除霜する除霜モードに切り替わる際に、前記第１状態から前記第２状態に切り替える冷凍サイクル装置。
【請求項３】
前記切替部は、前記第２状態において前記熱利用部側と前記熱供給部側との前記熱媒体の流量比を調整可能になっており、
前記第１状態から前記第２状態へ切り替えたとき、前記熱供給部側へ流れる前記熱媒体の流量が、前記熱利用部側へ流れる前記熱媒体の流量よりも少なくなるように前記切替部を制御する制御部（６０）を備える請求項１または２に記載の冷凍サイクル装置。
【請求項４】
冷媒を吸入して圧縮し吐出する圧縮機（１１）と、
前記圧縮機から吐出された前記冷媒と熱媒体とを熱交換させることにより前記冷媒を放熱させて前記熱媒体を加熱する放熱部（１２）と、
前記放熱部で放熱された前記冷媒を減圧させる減圧部（１６）と、
前記減圧部で減圧された前記冷媒を蒸発させることによって吸熱させる吸熱部（１７、３２、４５、１８）と、
前記放熱部で加熱された前記熱媒体の熱を利用する熱利用部（２２）と、
前記熱媒体の流れにおいて前記熱利用部に対して並列に配置され、前記放熱部で加熱された前記熱媒体の熱を前記吸熱部に供給する熱供給部（２０ｃ、２３、３７）と、
前記放熱部から流出した前記熱媒体を前記熱利用部側と前記熱供給部側とに分岐させる分岐部（２０ｄ）と、
前記熱利用部を流れた前記熱媒体と前記熱供給部を流れた前記熱媒体とを合流させて前記放熱部側へ流出させる合流部（２０ｅ）と、
前記放熱部と前記熱利用部との間で前記熱媒体が循環する第１状態と、前記放熱部と前記熱利用部および前記熱供給部との間で前記熱媒体が循環する第２状態とを切り替える切替部（２６）とを備え、
前記切替部は、前記第２状態において前記熱利用部側と前記熱供給部側との前記熱媒体の流量比を調整可能になっており、
さらに、前記第１状態から前記第２状態へ切り替えたとき、前記熱供給部側へ流れる前記熱媒体の流量が、前記熱利用部側へ流れる前記熱媒体の流量よりも少なくなるように前記切替部を制御する制御部（６０）を備え、
前記制御部は、前記第１状態から前記第２状態へ切り替えたとき、前記熱供給部側へ流れる前記熱媒体の流量を時間の経過とともに増加させる冷凍サイクル装置。
【請求項５】
前記熱媒体を吸入して吐出するポンプ（２１）を備え、
前記制御部は、前記第１状態から前記第２状態に切り替えたとき、前記放熱部に流入する前記熱媒体の温度の時間変化率が小さくなるように前記ポンプを制御する請求項４に記載の冷凍サイクル装置。
【請求項６】
前記減圧部で減圧された前記冷媒を蒸発させることによって空気を冷却除湿する蒸発器（１４）を備え、
前記熱利用部は、前記放熱部で加熱された前記熱媒体を利用して、前記蒸発器で冷却除湿された空気および前記蒸発器をバイパスして流れた空気のうち少なくとも一方を加熱するヒータコア（２２）を有しており、
前記切替部は、前記蒸発器で空気を冷却除湿し且つ前記蒸発器で冷却除湿された空気を前記ヒータコアで加熱する除湿暖房モード、または前記蒸発器をバイパスして流れた空気を前記ヒータコアで加熱する暖房モードから、前記熱媒体の熱を利用して前記吸熱部を除霜する除霜モードに切り替わる際に、前記第１状態から前記第２状態に切り替える請求項４または５に記載の冷凍サイクル装置。
【請求項７】
前記制御部は、前記第２状態において、前記放熱部に流入する前記熱媒体の温度が前記放熱部での露点温度よりも高くなるように前記切替部を制御する請求項３ないし６のいずれか１つに記載の冷凍サイクル装置。
【請求項８】
前記制御部は、前記第２状態において、前記熱利用部に流入する前記熱媒体の温度が前記熱利用部での露点温度よりも高くなるように前記切替部を制御する請求項３ないし７のいずれか１つに記載の冷凍サイクル装置。
【請求項９】
前記制御部は、前記第２状態における前記熱媒体の温度と、前記第２状態に切り替えたときの前記吸熱部の温度との温度差が所定範囲内になるように前記切替部を制御する請求項３ないし８のいずれか１つに記載の冷凍サイクル装置。
【請求項１０】
前記放熱部は、前記冷媒と前記熱媒体とが互いに対向して流れる構造を有している請求項１ないし９のいずれか１つに記載の冷凍サイクル装置。
【請求項１１】
前記放熱部は、前記冷媒を凝縮させる凝縮部（１２ａ）と、前記凝縮部で凝縮された前記冷媒を過冷却する過冷却部（１２ｃ）とを有しており、前記熱媒体が、前記過冷却部、前記凝縮部の順番に流れる構造を有している請求項１０に記載の冷凍サイクル装置。
【請求項１２】
ジュール熱を発生することにより前記熱媒体を加熱する加熱部（２５）を備え、
前記加熱部は、前記熱媒体の流れにおいて、前記分岐部の下流側かつ前記熱利用部の上流側に配置されている請求項１ないし１１のいずれか１つに記載の冷凍サイクル装置。
【請求項１３】
前記熱媒体を吸入して吐出するポンプ（２１）を備え、
前記ポンプは、前記熱媒体の流れにおいて、前記合流部の下流側、かつ前記分岐部の上流側に配置されている請求項１ないし１２のいずれか１つに記載の冷凍サイクル装置。
【請求項１４】
前記合流部の下流側かつ前記放熱部の上流側、または前記合流部に配置され、前記熱媒体を貯留する貯留部（２４）を備える請求項１ないし１３のいずれか１つに記載の冷凍サイクル装置。
【請求項１５】
前記第１状態では、前記熱供給部に前記熱媒体が循環しない請求項１ないし１４のいずれか１つに記載の冷凍サイクル装置。
【手続補正２】
【補正対象書類名】明細書
【補正対象項目名】０００８
【補正方法】変更
【補正の内容】
【０００８】
上記目的を達成するため、請求項１に記載の冷凍サイクル装置では、
冷媒を吸入して圧縮し吐出する圧縮機（１１）と、
圧縮機から吐出された冷媒と熱媒体とを熱交換させることにより冷媒を放熱させて熱媒体を加熱する放熱部（１２）と、
放熱部で放熱された冷媒を減圧させる減圧部（１６）と、
減圧部で減圧された冷媒を蒸発させることによって吸熱させる吸熱部（１７、３２、４５、１８）と、
放熱部で加熱された熱媒体の熱を利用する熱利用部（２２）と、
熱媒体の流れにおいて熱利用部に対して並列に配置され、放熱部で加熱された熱媒体の熱を吸熱部に供給する熱供給部（２０ｃ、２３）と、
放熱部から流出した熱媒体を熱利用部側と熱供給部側とに分岐させる分岐部（２０ｄ）と、
熱利用部を流れた熱媒体と熱供給部を流れた熱媒体とを合流させて放熱部側へ流出させる合流部（２０ｅ）と、
放熱部と熱利用部との間で熱媒体が循環する第１状態と、放熱部と熱利用部および熱供給部との間で熱媒体が循環する第２状態とを切り替える切替部（２６）と、
熱媒体を吸入して吐出するポンプ（２１）とを備え、
制御部は、第１状態から第２状態に切り替えたとき、放熱部に流入する熱媒体の温度の時間変化率が小さくなるようにポンプを制御する。
【手続補正３】
【補正対象書類名】明細書
【補正対象項目名】００１０
【補正方法】変更
【補正の内容】
【００１０】
そのため、熱供給部（２０ｃ、２３）に流入する熱媒体の流量を少なくできるとともに放熱部（１２）に流入する熱媒体の温度を、熱供給部（２０ｃ、２３）を流れた熱媒体の温度よりも高くすることができる。したがって、吸熱部（３２、４５、１８）および放熱部（１２）のヒートショックを軽減できる。
上記目的を達成するため、請求項２に記載の冷凍サイクル装置では、
冷媒を吸入して圧縮し吐出する圧縮機（１１）と、
圧縮機から吐出された冷媒と熱媒体とを熱交換させることにより冷媒を放熱させて熱媒体を加熱する放熱部（１２）と、
放熱部で放熱された冷媒を減圧させる減圧部（１６）と、
減圧部で減圧された冷媒を蒸発させることによって吸熱させる吸熱部（１７、３２、４５、１８）と、
放熱部で加熱された熱媒体の熱を利用する熱利用部（２２）と、
熱媒体の流れにおいて熱利用部に対して並列に配置され、放熱部で加熱された熱媒体の熱を吸熱部に供給する熱供給部（２０ｃ、２３、３７）と、
放熱部から流出した熱媒体を熱利用部側と熱供給部側とに分岐させる分岐部（２０ｄ）と、
熱利用部を流れた熱媒体と熱供給部を流れた熱媒体とを合流させて放熱部側へ流出させる合流部（２０ｅ）と、
放熱部と熱利用部との間で熱媒体が循環する第１状態と、放熱部と熱利用部および熱供給部との間で熱媒体が循環する第２状態とを切り替える切替部（２６）と、
減圧部で減圧された冷媒を蒸発させることによって空気を冷却除湿する蒸発器（１４）とを備え、
熱利用部は、放熱部で加熱された熱媒体を利用して、蒸発器で冷却除湿された空気および蒸発器をバイパスして流れた空気のうち少なくとも一方を加熱するヒータコア（２２）を有しており、
切替部は、蒸発器で空気を冷却除湿し且つ蒸発器で冷却除湿された空気をヒータコアで加熱する除湿暖房モード、または蒸発器をバイパスして流れた空気をヒータコアで加熱する暖房モードから、熱媒体の熱を利用して吸熱部を除霜する除霜モードに切り替わる際に、第１状態から第２状態に切り替える。
これにより、請求項１に記載の冷凍サイクル装置と同様の作用効果を奏することができる。
上記目的を達成するため、請求項４に記載の冷凍サイクル装置では、
冷媒を吸入して圧縮し吐出する圧縮機（１１）と、
圧縮機から吐出された冷媒と熱媒体とを熱交換させることにより冷媒を放熱させて熱媒体を加熱する放熱部（１２）と、
放熱部で放熱された冷媒を減圧させる減圧部（１６）と、
減圧部で減圧された冷媒を蒸発させることによって吸熱させる吸熱部（１７、３２、４５、１８）と、
放熱部で加熱された熱媒体の熱を利用する熱利用部（２２）と、
熱媒体の流れにおいて熱利用部に対して並列に配置され、放熱部で加熱された熱媒体の熱を吸熱部に供給する熱供給部（２０ｃ、２３、３７）と、
放熱部から流出した熱媒体を熱利用部側と熱供給部側とに分岐させる分岐部（２０ｄ）と、
熱利用部を流れた熱媒体と熱供給部を流れた熱媒体とを合流させて放熱部側へ流出させる合流部（２０ｅ）と、
放熱部と熱利用部との間で熱媒体が循環する第１状態と、放熱部と熱利用部および熱供給部との間で熱媒体が循環する第２状態とを切り替える切替部（２６）とを備え、
切替部は、第２状態において熱利用部側と熱供給部側との熱媒体の流量比を調整可能になっており、
さらに、第１状態から第２状態へ切り替えたとき、熱供給部側へ流れる熱媒体の流量が、熱利用部側へ流れる熱媒体の流量よりも少なくなるように切替部を制御する制御部（６０）を備え、
制御部は、第１状態から第２状態へ切り替えたとき、熱供給部側へ流れる熱媒体の流量を時間の経過とともに増加させる。
これにより、請求項１に記載の冷凍サイクル装置と同様の作用効果を奏することができる。